(57)【要約】      （修正有）【課題】特に布地を背枠に装着するための布地固定装置を提供する。【解決手段】背枠の内部に取り付けるものであり、２本の第一組立部材１０及び２本の第二組立部材２０を有し、２本の第一組立部材１０は、背枠の内部における相対する両側に配置されると共に、第一棒体１１及び２つの組合構造１２を備え、第一棒体１１に複数の第一組立穴１３が間隔をおいて形成され、２つの組合構造１２は、第一棒体１１の両端に延設され、背枠に向かった一側に組合凹部１４が形成され、２本の第二組立部材２０は、背枠の内部における、他の相対する両側に配置されると共に、２本の第一組立部材１０に調整可能に組み合わされることにより、環状本体を構成し、第二棒体２１及び２つの組合凸部２２を備え、第二棒体２１に複数の第二組立穴２３が形成され、２つの組合凸部２２は、第二棒体２１の両端に延設されると共に、２つの組合構造１２の組合凹部１４に組み合される。【選択図】図１
2019201797.tif 000002
【特許請求の範囲】
【請求項１】
背枠の内部に取り付ける布地固定装置であって、
前記背枠の内部における相対する両側に配置されると共に、それぞれが第一棒体及び２つの組合構造を備え、該第一棒体に複数の第一組立穴が間隔をおいて形成され、該２つの組合構造は、第一棒体の両端に延設され、該各組合構造における、背枠に向かった一側に組合凹部が形成される、２本の第一組立部材と、
前記背枠の内部における、他の相対する両側に配置されると共に、前記２本の第一組立部材に調整可能に組み合わされることにより、環状本体を構成し、それぞれが第二棒体及び２つの組合凸部を備え、該第二棒体に複数の第二組立穴が形成され、該２つの組合凸部は、第二棒体の両端に延設されると共に、２つの組合構造の組合凹部に組み合される、２本の第二組立部材を有することを特徴とする布地固定装置。
【請求項２】
前記各第一組立部材における背枠に向かった一側に第一嵌設凹部が形成され、該第一嵌設凹部に第一凸部が凸設され、
前記複数の第一組立穴はそれぞれ、第一凸部を貫穿して第一嵌設凹部と連通し、
前記各第二組立部材はおける、背枠に向かった一側に第二嵌設凹部が形成され、該第二嵌設凹部に第二凸部が凸設され、
前記複数の第二組立穴はそれぞれ、第二凸部を貫穿して第二嵌設凹部と連通することを特徴とする請求項１に記載の布地固定装置。
【請求項３】
前記各第一組立部材の組合構造にそれぞれ、組立穴が形成され、該組立穴が組合構造を貫通し、
前記各第二組立部材の組合凸部に細長状の調整穴が形成されることを特徴とする請求項１または２に記載の布地固定装置。
【発明の詳細な説明】
【技術分野】
【０００１】
本発明は、特に布地を背枠に装着する布地固定装置に関するものである。
【背景技術】
【０００２】
既存の背もたれ付きのシートやベッドなどの家具は、背もたれに寄りかかった際の快適性を向上させるために、布地材を背枠に取り付けて、背もたれに高い弾力性を持たせている。
【先行技術文献】
【特許文献】
【０００３】
【特許文献１】特開２０１２-１３９４２３号公報
【発明の概要】
【発明が解決しようとする課題】
【０００４】
既存の布地材を背枠に取り付ける方法では、布地材をきつく引っ張って枠部材の周縁に装着してから、布地材及び枠部材を背枠に嵌合することにより、布地材の装着を行うものであり、この取付方法によれば、布地材をきつく引っ張って展開すれば枠部材に取り付けることができるが、布地材の張力により制限されることから、作業上取り付け難いという問題があった。
【０００５】
前記問題を解決するために、その後、開口を備える袋状の布地材を用いて枠部材をカバーするが案出され、それによると、縫合や、チャック、ボタンなどの結合手段により開口を閉じて背もたれの布地材を枠部材に取り付けることができ、取付作業が容易かつ効率的であるが、その袋状の布地材を使うと、布地材をしっかりと引っ張ることができず、布地材が弛んで弾力性が低くなるという問題があるので、背中を支える効果に劣る。
【課題を解決するための手段】
【０００６】
本発明に係る布地固定装置は、背枠の内部に取り付けるものであり、２本の第一組立部材及び２本の第二組立部材を有し、
そのうち、２本の第一組立部材は、背枠の内部における相対する両側に配置されると共に、それぞれが第一棒体及び２つの組合構造を備え、該第一棒体に複数の第一組立穴が間隔をおいて形成され、該２つの組合構造は、第一棒体の両端に延設され、該各組合構造における、背枠に向かった一側に組合凹部が形成され、
前記２本の第二組立部材は、背枠の内部における、他の相対する両側に配置されると共に、前記２本の第一組立部材に調整可能に組み合わされることにより、環状本体を構成し、それぞれが第二棒体及び２つの組合凸部を備え、該第二棒体に複数の第二組立穴が形成され、該２つの組合凸部は、第二棒体の両端に延設されると共に、２つの組合構造の組合凹部に組み合されるものである。
【発明の効果】
【０００７】
本発明に係る布地固定装置によれば、布地材を背枠に取り付けることができるので、以下に示すようなメリットを有する。
１.布地材の取り付けが容易：布地材を装着する場合は、２本の第一組立部材及び２本の第二組立部材を組み合わせて背枠の内径よりも小さい環状本体を作り、布地材を、外周縁を介して環状本体に押し付け、前記２本の第一組立部材と２本の第二組立部材を背枠に螺合固定して、該２本の第一組立部材と２本の第二組立部材との距離を移動可能とすると、環状本体の内部面積が増加して布地材を広くてきつく引っ張ることから、布地材をしっかりと背枠に固定することができるので、作業上に便利であり、作業効率も向上する。
【０００８】
２.背枠に付けた布地材により背中を支える効果：本発明の布地固定装置を背枠に螺合固定すると、布地材を広く展開してきつく引っ張ることから、弾力性の高い背もたれを提供できるので、背中を支える効果に優れる。
【図面の簡単な説明】
【０００９】
【図１】本発明の実施例の分解斜視図である。
【図２】図１の部分拡大分解斜視図である。
【図３】本発明の実施例において、布地材を布地固定装置に装着して背枠に取り付けた状態を示す平面図である。
【図４】図３の部分断面説明図である。
【図５】本発明の実施例において、布地固定装置を外側に向かって移動させて背枠に取り付けた状態を示す平面図である。
【図６】図５の部分断面説明図である。
【図７】本発明の実施例の使用状態を示す説明図である。
【発明を実施するための形態】
【００１０】
以下、添付図面を参照して本発明の適切な実施の形態を詳細に説明する。
【００１１】
図１及び図２に示すように、本発明に係る布地固定装置の実施例は、背もたれの背枠３０に取り付けるものであり、２本の第一組立部材１０及び２本の第二組立部材２０を有する。
【００１２】
図１乃至図３に示すように、前記２本の第一組立部材１０は、背枠３０の内部における相対する両側に配置され、該各第一組立部材１０は、第一棒体１１及び２つの組合構造１２を備え、該第一棒体１１に複数の第一組立穴１３が間隔をおいて形成され、該２つの組合構造１２は、第一棒体１１の両端に延設され、背枠３０に向かった一側に組合凹部１４が形成される。
【００１３】
図１乃至図３に示すように、前記２本の第二組立部材２０は、背枠３０の内部における相対両側に配置されると共に、２本の第一組立部材１０に調整可能に組み合わされ、これによれば、環状本体を構成できる。また、前記各第二組立部材２０は、第二棒体２１及び２つの組合凸部２２を備え、該第二棒体２１に複数の第二組立穴２３が形成され、該２つの組合凸部２２は、第二棒体２１の両端に延設されると共に、２つの組合構造１２の組合凹部１４に組み合される。
【００１４】
図１乃至図３に示すように、前記第一組立部材１０はそれぞれ、背枠３０に向かった一側に第一嵌設凹部１５が形成され、該第一嵌設凹部１５に第一凸部１６が凸設され、前記複数の第一組立穴１３はそれぞれ、第一凸部１６を貫穿して第一嵌設凹部１５と連通し、また、前記第二組立部材２０はそれぞれ、背枠３０に向かった一側に第二嵌設凹部２４が形成され、該第二嵌設凹部２４に第二凸部２５が凸設され、前記複数の第二組立穴２３はそれぞれ、第二凸部２５を貫穿して第二嵌設凹部２４と連通する。
【００１５】
前記第一組立部材１０の組合構造１２にそれぞれ組立穴１７が形成され、該組立穴１７は組合構造１２を貫通し、前記各第二組立部材２０の組合凸部２２に細長状の調整穴２６が形成される。
【００１６】
図３に示すように、本発明に係る布地固定装置を有すれば、２本の第一組立部材１０及び２本の第二組立部材２０からなる環状本体の形状は、背枠３０の形状と対応するため、布地材４０を布地固定装置に装着してから背枠３０に取り付けることができる。
【００１７】
図３及び図４に示すように、本発明に係る布地固定装置を組み立てる場合は、２本の第一組立部材１０及び２本の第二組立部材２０を組み合わせ、第二組立部材２０の組合凸部２２を、第一組立部材１０の組合凹部１４に嵌め込むことにより、該２本の第一組立部材１０及び該２本の第二組立部材２０を背枠３０の内径よりも小さい環状本体とする。
【００１８】
図３及び図４に示すように、作業員が布地材４０の外周縁を、２本の第一組立部材１０の第一嵌設凹部１５及び２本の第二組立部材２０の第二嵌設凹部２４に固定すると、布地固定装置が背枠３０の内部に嵌設されると共に、図５乃至図７に示すように、複数のファスナー５０が第一組立部材１０の第一組立穴１３及び組立穴１７を通過して第二組立部材２０の第二組立穴２３に螺合され、それにより、布地固定装置を背枠３０に固定する。この時、第二組立部材２０の組合凸部２２は、第一組立部材１０の組合凹部１４の外側に向かって移動することから、２本の第一組立部材１０及び２本の第二組立部材２０から構成された環状本体の内部面積が増加するので、布地材４０をきつく張ることができる。
【００１９】
図５及び図６に示すように、本発明に係る布地固定装置における２本の第一組立部材１０及び２本の第二組立部材２０を背枠３０に螺設する時は、その過程で、ファスナー５０の螺設により、２本の第一組立部材１０及び２本の第二組立部材２０からなる環状本体の内部面積が増加するため、布地材４０を広くしてきつく張ることができる。さらに、図６に示すように、本発明に係る布地固定装置を背枠３０に取り付ける場合には、第一組立部材１０の第一凸部１６を第二組立部材２０の第二凸部２５に嵌合させることにより、布地材４０の外周縁を背枠３０の内側に押し付けることができるので、布地材４０を位置決め固定することができる。また、その第一組立部材１０及び第二組立部材２０をファスナー５０により背枠３０の内側に取り付けた場合、組立穴１７に貫設するファスナー５０を組合凸部２２の調整穴２６に対して移動させることができる。
【００２０】
このように、本発明に係る布地固定装置によれば、２本の第一組立部材１０と２本の第二組立部材２０との距離が調整可能とし、布地材４０を広くしてきつく張ることにより、作業上の利便性が向上すると共に、弾性に優れた布地材４０を提供することにより、背中を支える効果も向上する。
【符号の説明】
【００２１】
１０           第一組立部材
１１           第一棒体
１２           組合構造
１３           第一組立穴
１４           組合凹部
１５           第一嵌設凹部
１６           第一凸部
１７           組立穴
２０           第二組立部材
２１           第二棒体
２２           組合凸部
２３           第二組立穴
２４           第二嵌設凹部
２５           第二凸部
２６           調整穴
３０           背枠
４０           布地材
５０           ファスナー
【図１】
2019201797.tif 000003
【図２】
2019201797.tif 000004
【図３】
2019201797.tif 000005
【図４】
2019201797.tif 000006
【図５】
2019201797.tif 000007
【図６】
2019201797.tif 000008
【図７】
2019201797.tif 000009